(57)【要約】      （修正有）【課題】従来のクレジットカードの代替となり得るペイメントカードを簡便に提供する。【解決手段】まず、ペイメントカードの利用者の端末から、サーバに対して、登録情報が送信される（Ｓ１０１）。サーバは、登録情報の受信に応じて、バーチャルカードのカード情報を生成し、当該利用者に関連づける（Ｓ１０２）。さらに、サーバは、利用者端末から、リアルカードの付与要求を受信することがある（Ｓ１０３）。リアルカードのためのカード情報としてあらかじめ記憶された複数のカード情報のうちのいずれかが当該利用者に割り当てられる（Ｓ１０４）。当該利用者に割り当てられたカード情報を有するリアルカードが当該利用者に送付され、サーバは、リアルカードのコードを当該利用者の識別子とともに受信する（Ｓ１０５）。そして、サーバにおいて、受信したコードに基づいて当該リアルカードを有効化する（Ｓ１０６）。【選択図】図１
2018152040.tif 000002
【特許請求の範囲】
【請求項１】
ペイメントカードの提供方法であって、  利用者の端末から、前記利用者の登録情報を受信するステップと、  前記登録情報の受信に応じて、前記利用者に関連づけられたカード情報をバーチャルカードのカード情報として記憶するステップと、  前記利用者の端末から、リアルカードの付与要求を受信するステップと、  リアルカードのためのカード情報としてあらかじめ記憶された複数のカード情報のうちのいずれかを前記利用者に関連づけるステップと、  前記利用者の端末から、前記利用者に送付されたリアルカードのコードを受信するステップと、  前記コードをあらかじめ記憶されている前記リアルカードのコードと照合して前記リアルカードを有効化するステップとを含み、  前記リアルカードのカード番号は、前記バーチャルカードのカード番号と異なることを特徴とする提供方法。
【請求項２】
前記カード情報は、カード番号、名義人、有効期限及びコードを含むことを特徴とする請求項１に記載の提供方法。
【請求項３】
前記名義人は、全て又は一部の利用者に共通であることを特徴とする請求項２に記載の提供方法。
【請求項４】
前記カード情報は、各カードに一意のカード識別子を含むことを特徴とする請求項２又は３に記載の提供方法。
【請求項５】
前記リアルカードのカード番号は、前記バーチャルカードのカード番号と区別するためのデジットを有することを特徴とする請求項１から４のいずれかに記載の提供方法。
【請求項６】
前記有効化の前の前記リアルカードは使用不可であることを特徴とする請求項１乃至５のいずれかに記載の提供方法。
【請求項７】
リアルカードのためのカード情報としてあらかじめ記憶された前記複数のカード情報をそれぞれ有する複数のリアルカードが前記付与要求の前にあらかじめ製造されていることを特徴とする請求項１乃至６のいずれかに記載の提供方法。
【請求項８】
前記有効化に応じて、前記利用者のバーチャルカードを無効化するステップをさらに含むことを特徴とする請求項１乃至７のいずれかに記載の提供方法。
【請求項９】
コンピュータに、ペイメントカードの提供方法を実行させるためのプログラムであって、前記提供方法は、  利用者の端末から、前記利用者の登録情報を受信するステップと、  前記登録情報の受信に応じて、前記利用者に関連づけられたカード情報をバーチャルカードのカード情報として記憶するステップと、  前記利用者の端末から、リアルカードの付与要求を受信するステップと、  リアルカードのためのカード情報としてあらかじめ記憶された複数のカード情報のうちのいずれかを前記利用者に関連づけるステップと、  前記利用者の端末から、前記利用者に送付されたリアルカードのコードを受信するステップと、  前記コードをあらかじめ記憶されている前記リアルカードのコードと照合して前記リアルカードを有効化するステップとを含み、  前記リアルカードのカード番号は、前記バーチャルカードのカード番号と異なることを特徴とするプログラム。
【請求項１０】
ペイメントカードの提供装置であって、  利用者の端末から、前記利用者の登録情報を受信して、前記登録情報の受信に応じて、前記利用者に関連づけられたカード情報をバーチャルカードのカード情報として記憶し、  前記利用者の端末から、リアルカードの付与要求を受信して、リアルカードのためのカード情報としてあらかじめ記憶された複数のカード情報のうちのいずれかを前記利用者に関連づけ、  前記利用者の端末から、前記利用者に送付されたリアルカードのコードを受信して、前記コードをあらかじめ記憶されている前記リアルカードのコードと照合し、前記リアルカードを有効化し、  前記リアルカードのカード番号は、前記バーチャルカードのカード番号と異なることを特徴とする提供装置。
【発明の詳細な説明】
【技術分野】
【０００１】
本発明は、ペイメントカードの提供装置、提供方法およびそのためのプログラムに関する。
【背景技術】
【０００２】
今後、インターネット上の支払いが必要となる場面が増えていく。ＥＣの普及は当然のこととして、購入可能な商品の単価が低額化している背景もある。たとえば、中高生がスマホから英語の単語帳を買う、学校で支給されたタブレットから参考書を章単位で購入するといった場面がごく普通のこととなっていくことが予想される。
【発明の概要】
【発明が解決しようとする課題】
【０００３】
しかしながら、現在中高生はクレジットカードをもてないため、支払いを代引き又はコンビニ決済により行っている。また、高齢者においても、ますます普及していくＥＣにおいて使用頻度の高いクレジットカードをもてない方が少なからずいる。  
【０００４】
本発明は、このような問題点に鑑みてなされたものであり、その目的は、従来のクレジットカードの代替となり得るペイメントカードを簡便に提供することにある。
【課題を解決するための手段】
【０００５】
このような目的を達成するために、本発明の第１の態様は、ペイメントカードの提供方法であって、利用者の端末から、前記利用者の登録情報を受信するステップと、前記登録情報の受信に応じて、前記利用者に関連づけられたカード情報をバーチャルカードのカード情報として記憶するステップと、前記利用者の端末から、リアルカードの付与要求を受信するステップと、リアルカードのためのカード情報としてあらかじめ記憶された複数のカード情報のうちのいずれかを前記利用者に関連づけるステップと、前記利用者の端末から、前記利用者に送付されたリアルカードに記載されたコードを受信するステップと、前記コードをあらかじめ記憶されている前記リアルカードのコードと照合して前記リアルカードを有効化するステップとを含むことを特徴とする。  
【０００６】
また、本発明の第２の態様は、第１の態様において、前記カード情報は、カード番号、名義人、有効期限及びコードを含むことを特徴とする。  
【０００７】
また、本発明の第３の態様は、第２の態様において、前記名義人は、全て又は一部の利用者に共通であることを特徴とする。  
【０００８】
また、本発明の第４の態様は、第２又は第３の態様において、前記カード情報は、各カードに一意のカード識別子を含むことを特徴とする。  
【０００９】
また、本発明の第５の態様は、第２乃至第４のいずれかの態様において、前記リアルカードのカード番号は、前記バーチャルカードのカード番号と異なることを特徴とする。  
【００１０】
また、本発明の第６の態様は、第５の態様において、前記リアルカードのカード番号は、前記バーチャルカードのカード番号と区別するためのデジットを有することを特徴とする。  
【００１１】
また、本発明の第７の態様は、第１乃至第６のいずれかの態様において、前記有効化の前の前記リアルカードは使用不可であることを特徴とする。  
【００１２】
また、本発明の第８の態様は、第１乃至第７のいずれかの態様において、前記関連づけられたリアルカードは本人確認又は受取確認が不要な配送手段により前記利用者に送付されるものであることを特徴とする。  
【００１３】
また、本発明の第９の態様は、第１乃至第８のいずれかの態様において、リアルカードのためのカード情報としてあらかじめ記憶された前記複数のカード情報をそれぞれ有する複数のリアルカードが前記付与要求の前にあらかじめ製造されていることを特徴とする。  
【００１４】
また、本発明の第１０の態様は、第１乃至第９のいずれかの態様において、前記有効化に応じて、前記利用者のバーチャルカードを無効化するステップをさらに含むことを特徴とする。  
【００１５】
また、本発明の第１１の態様は、コンピュータに、ペイメントカードの提供方法を実行させるためのプログラムであって、前記提供方法は、利用者の端末から、前記利用者の登録情報を受信するステップと、前記登録情報の受信に応じて、前記利用者に関連づけられたカード情報をバーチャルカードのカード情報として記憶するステップと、前記利用者の端末から、リアルカードの付与要求を受信するステップと、リアルカードのためのカード情報としてあらかじめ記憶された複数のカード情報のうちのいずれかを前記利用者に関連づけるステップと、前記利用者の端末から、前記利用者に送付されたリアルカードに記載されたコードを受信するステップと、前記コードをあらかじめ記憶されている前記リアルカードのコードと照合して前記リアルカードを有効化するステップとを含むことを特徴とする。  
【００１６】
また、本発明の第１２の態様は、ペイメントカードの提供装置であって、利用者の端末から、前記利用者の登録情報を受信して、前記登録情報の受信に応じて、前記利用者に関連づけられたカード情報をバーチャルカードのカード情報として記憶し、前記利用者の端末から、リアルカードの付与要求を受信して、リアルカードのためのカード情報としてあらかじめ記憶された複数のカード情報のうちのいずれかを前記利用者に関連づけ、前記利用者の端末から、前記利用者に送付されたリアルカードに記載されたコードを受信して、前記コードをあらかじめ記憶されている前記リアルカードのコードと照合し、前記リアルカードを有効化することを特徴とする。
【発明の効果】
【００１７】
本発明の一態様によれば、リアルカードのためのカード情報としてあらかじめ複数のカード情報を記憶しておくことによって、従来のクレジットカードの代替となり得るペイメントカードを速やかに提供することができる。  
【００１８】
本発明の一態様によれば、リアルカードのステータスを無効又はインアクティブとして利用者に送付することによって、従来のクレジットカードの代替となり得るペイメントカード安価に提供することができる。
【図面の簡単な説明】
【００１９】
【図１】本発明の一態様におけるペイメントカードの提供方法の流れを示す図である。
【図２】利用者の携帯端末上で動作するアプリにおいて表示されるバーチャルカードの一例を示す図である。
【発明を実施するための形態】
【００２０】
以下、図面を参照して本発明の実施形態を詳細に説明する。  
【００２１】
（本発明の概要）    図１に本発明の一態様におけるペイメントカードの提供方法の流れを示す。まず、ペイメントカードの利用者の端末から、サーバに対して、当該利用者の登録情報が送信される（Ｓ１０１）。登録情報の送信は、スマートフォン、タブレットなどの携帯端末にアプリをインストールし、当該アプリを介して行うことができ、また何らかの利用者端末からウェブブラウザを介して行うこともできる。以下では登録情報をサーバが受信する態様を例に説明するが、たとえばペイメントカードの提供を行う事業者が電話により登録情報を受け取り、これをサーバに対して入力する態様も考えられる。  
【００２２】
サーバは、登録情報の受信に応じて、バーチャルカードのカード情報を生成し、当該利用者に関連づけてメモリ、ハードディスク等の記憶装置又は記憶媒体に記憶する（Ｓ１０２）。記憶装置又は記憶媒体は、当該サーバが有してもよく、又は当該サーバからネットワークを介して通信可能なものでもよい。カード情報は、カード番号、名義人、有効期限及びセキュリティコードなどのコードを含むことができ、さらにステータスを含むことができる。ステータスは、有効及び無効を含み、カード情報の生成時に有効の状態で生成してもよく、また利用者に関連づけられたことに応じて有効化してもよい。  
【００２３】
また、登録情報の受信に応じてバーチャルカードのカード情報を生成するのではなくあらかじめ複数のカード情報を生成しておき、それらのうちのいずれかを登録情報の受信に応じて利用者に関連づけることもできるが、この場合には、あらかじめカード情報を生成するために必要となるカード番号発行費用が掛かることがある。  
【００２４】
登録情報を受信した際、サーバは、バーチャルカードのカード情報の生成とともに又はその前に利用者に当該利用者の識別子を付与することができる。ウェブサービス又はアプリのいずれにおいても、この識別子の下でログインすることで、利用者端末からサーバへの送信データを当該利用者と紐付け可能となる。  
【００２５】
ここで、本明細書において「バーチャルカード」とは、カード情報に対する電子的なインターフェースを意味する。図２に、利用者の携帯端末上で動作するアプリにおいて表示されるバーチャルカードの一例を示す。携帯端末の表示画面２００に、バーチャルカード２０１が示されている。たとえば、携帯端末において当該アプリが起動されると、サーバに当該利用者の識別子が送信され、当該識別子に関連づけられたバーチャルカード２０１のカード情報が当該アプリ内で表示されるようにすることができる。利用者は、バーチャルカード２０１を見ることによって、カード番号、名義人、有効期限及びコードを確認し、たとえばこれをＥＣの支払いにおいて使用することができる。  
【００２６】
バーチャルカード２０１は、従来のクレジットカードと同様の外観を有する例であるが、支払いに必要なカード情報に対するインターフェースとして機能すれば、このような外観に限定されるものではない。バーチャルカード２０１は、ＶＩＳＡ（登録商標）ブランドのプリペイドカードの例であるが、プリペイドに限られるものではなく、またＶＩＳＡブランドに限られるものではない。  
【００２７】
さらに、サーバは、利用者端末から、リアルカードの付与要求を受信することがある（Ｓ１０３）。リアルカードのためのカード情報としてあらかじめ記憶された複数のカード情報のうちのいずれかが当該利用者に割り当てられ、関連づけが記憶される（Ｓ１０４）。  
【００２８】
ここで、本明細書において「リアルカード」とは、カード情報に対する物理的なインターフェースを意味する。たとえば、従来のクレジットカード等のように、プラスチックカードにカード情報の全て又は一部が記載又は印字され、また裏面の磁気部分にカード情報の全て又は一部が埋め込まれたものである。  
【００２９】
当該利用者に割り当てられたカード情報を有するリアルカードが当該利用者に送付され、サーバは、利用者端末から、リアルカードのコードを必要に応じて当該利用者の識別子とともに受信する（Ｓ１０５）。有効化に用いられるこのコードは、図２に示すようにリアルカードに記載されたセキュリティコードである場合の他、たとえば、リアルカードに記載された有効期限、名義人、又は別紙に記載されたパスコードとすることも考えられる。  
【００３０】
ここで、リアルカードのためのカード情報は、あらかじめサーバ又はサーバからネットワークを介して通信可能な記憶装置又は記憶媒体に記憶しておくことに加えて、物理的なカードに印字しておいてもよい。あらかじめリアルカードを用意しておくことによって、カードの印刷を大きなロットで行い、リアルカードの製造コストを大幅に低減可能である。  
【００３１】
コストカットに加えて、あらかじめリアルカードを用意しておくことで、利用者からのリアルカードの付与要求から送付までのリードタイムを従来の数週間から数日に劇的に短縮可能である。使用開始までの期間短縮は、リアルカードのためのカード情報をあらかじめ記憶しておくこと自体によっても得られるが、リアルカードの製造までをあらかじめ行うことにより一層短縮される。  
【００３２】
リアルカードをあらかじめ製造しておくために、あるいはリアルカードのためのカード情報をあらかじめ記憶しておくために、リアルカードのカード番号とバーチャルカードのカード番号は異なるようにし、一例として、リアルカードのカード番号とバーチャルカードのカード番号を区別するためのデジットを設けてもよい。  
【００３３】
そして、サーバにおいて、受信したコードを当該利用者に関連づけられたリアルカードのコードと照合して、一致すれば当該リアルカードのステータスを有効にする（Ｓ１０
６）。  
【００３４】
利用者の送付されるリアルカードのステータスは無効又はインアクティブとすると、その間使用不可となるが、有効又はアクティブなカードの送付に求められる本人確認乃至受取確認を不要とし、安価な配送手段によって送付することができる。このことは、たとえばクレジットカードを持てない中高生、大学生等のコストに敏感な層に利用を促す上で効果的である。リアルカードの付与要求に応じて、リアルカードのためのカード情報としてあらかじめ記憶された複数のカード情報のうちのいずれかを利用者に割り当てるのではなく、リアルカードの付与要求に応じて、リアルカードのためのカード情報を生成して利用者に関連づける態様も考えられ、この場合においても無効又はインアクティブのステータスでリアルカードを送付することによってコストが抑制可能である。リアルカードの送付時は利用者への関連づけを行わずに、送付後に利用者がカード番号及びコード等を入力することで関連づける態様も考えられ、この場合も同様である。  
【００３５】
なお、上述のサーバは、単一のサーバ又はコンピュータである場合の他、複数の互いに通信可能なサーバ又はコンピュータである場合があり、当該サーバに上述の各処理を実行させるためのプログラムも、単一である場合のほか複数のプログラムである場合があり、また、コンピュータ読み取り可能な記憶媒体に記録して非一過性のプログラムプロダクトとすることができる。  
【００３６】
また、「××のみに基づいて」、「××のみに応じて」、「××のみの場合」というように「のみ」との記載がなければ、本明細書においては、付加的な情報も考慮し得ることが想定されていることに留意されたい。  
【００３７】
（カード情報の詳細）    カード情報に含まれる名義人は、全て又は一部の利用者に共通であり、たとえばペイメントカードを提供する事業者が定めた共通の名義人とすることができる。  
【００３８】
また、カード情報は、各カードに一意のカード識別子を含むことができ、カード番号を保有させることが望ましくないサーバ又はコンピュータにおいてはカード識別子を保有させ、カード番号については必要に応じて参照可能としてもよい。  
【００３９】
（リアルカードの有効化の詳細）    リアルカードを有効化した際、当該リアルカードが割当てられた利用者に関連づけられているバーチャルカードをそのまま利用可能としてもよいが、無効又はインアクティブにしてもよい。バーチャルカードを無効又はインアクティブにしても、利用者との関連づけは維持しておくのが決済の観点から望ましい。バーチャルカードが無効にされる場合には、有効化されたリアルカードに、プリペイドカードであれば残高、クレジットカードであれば与信枠を引き継ぐことができる。  
【００４０】
利用者端末の表示画面には、当該リアルカードのカード情報に対する電子的なインターフェースをバーチャルカードと同様に表示可能であるが、バーチャルカードと区別するために異なるデザインとするのが望ましい。  
【００４１】
（バーチャルカードの長押し）    図２のバーチャルカード２０１は、カード部分のいずれかを長押しするとバーチャルカード２０１のカード情報のうちカード番号がコピーされるものとすることができる。特にバーチャルカード２０１が利用者のスマートフォン等の携帯端末に表示される場合、バーチャルカード２０１を表示させてカード番号等のカード情報を確認した上で、画面を切り替えて支払いに必要な入力を行うこととなるが、１６桁等のカード番号を記憶することは容易ではない。そこで、バーチャルカード２０１のいずれかの部分を長押しすることにより、カード番号を、より望ましくはカード番号のみをコピーしてペースト可能とすることによって、利用者の支払体験を改善することとなる。長押しすべき部分は、カード番号の部分でもよく、カード番号以外の部分でもよい。  
【００４２】
なお、長押しの機能は、リアルカードのカード情報に対する電子的なインターフェースにおいても同様とすることができる。
【符号の説明】
【００４３】
２００  表示画面  ２０１  バーチャルカード
【図１】
2018152040.tif 000003
【図２】
2018152040.tif 000004
【手続補正書】
【提出日】平成29年8月1日(2017.8.1)
【手続補正１】
【補正対象書類名】特許請求の範囲
【補正対象項目名】全文
【補正方法】変更
【補正の内容】
【特許請求の範囲】
【請求項１】
ペイメントカードの提供方法であって、
利用者の端末から、前記利用者の登録情報を受信するステップと、
前記登録情報の受信に応じて、前記利用者に関連づけられたカード情報をバーチャルカードのカード情報として記憶するステップと、
前記利用者の端末から、リアルカードの付与要求を受信するステップと、
リアルカードのためのカード情報としてあらかじめ記憶された複数のカード情報のうちのいずれかを前記利用者に関連づけるステップと、
前記利用者の端末から、前記利用者に送付されたリアルカードのコードを受信するステップと、
前記コードをあらかじめ記憶されている前記リアルカードのコードと照合して前記リアルカードを有効化するステップと
を含み、
前記リアルカードのカード番号は、前記バーチャルカードのカード番号と異なることを特徴とする提供方法。
【請求項２】
前記カード情報は、カード番号、名義人、有効期限及びコードを含むことを特徴とする請求項１に記載の提供方法。
【請求項３】
前記名義人は、全て又は一部の利用者に共通であることを特徴とする請求項２に記載の提供方法。
【請求項４】
前記カード情報は、各カードに一意のカード識別子を含むことを特徴とする請求項２又は３に記載の提供方法。
【請求項５】
前記リアルカードのカード番号は、前記バーチャルカードのカード番号と区別するためのデジットを有することを特徴とする請求項１から４のいずれかに記載の提供方法。
【請求項６】
前記有効化の前の前記リアルカードは使用不可であることを特徴とする請求項１乃至５のいずれかに記載の提供方法。
【請求項７】
リアルカードのためのカード情報としてあらかじめ記憶された前記複数のカード情報をそれぞれ有する複数のリアルカードが前記付与要求の前にあらかじめ製造されていることを特徴とする請求項１乃至６のいずれかに記載の提供方法。
【請求項８】
前記有効化に応じて、前記利用者のバーチャルカードを無効化するステップをさらに含むことを特徴とする請求項１乃至７のいずれかに記載の提供方法。
【請求項９】
コンピュータに、ペイメントカードの提供方法を実行させるためのプログラムであって、前記提供方法は、
利用者の端末から、前記利用者の登録情報を受信するステップと、
前記登録情報の受信に応じて、前記利用者に関連づけられたカード情報をバーチャルカードのカード情報として記憶するステップと、
前記利用者の端末から、リアルカードの付与要求を受信するステップと、
リアルカードのためのカード情報としてあらかじめ記憶された複数のカード情報のうちのいずれかを前記利用者に関連づけるステップと、
前記利用者の端末から、前記利用者に送付されたリアルカードのコードを受信するステップと、
前記コードをあらかじめ記憶されている前記リアルカードのコードと照合して前記リアルカードを有効化するステップと
を含み、
前記リアルカードのカード番号は、前記バーチャルカードのカード番号と異なることを特徴とするプログラム。
【請求項１０】
ペイメントカードの提供装置であって、
利用者の端末から、前記利用者の登録情報を受信して、前記登録情報の受信に応じて、前記利用者に関連づけられたカード情報をバーチャルカードのカード情報として記憶し、
前記利用者の端末から、リアルカードの付与要求を受信して、リアルカードのためのカード情報としてあらかじめ記憶された複数のカード情報のうちのいずれかを前記利用者に関連づけ、
前記利用者の端末から、前記利用者に送付されたリアルカードのコードを受信して、前記コードをあらかじめ記憶されている前記リアルカードのコードと照合し、前記リアルカードを有効化し、
前記リアルカードのカード番号は、前記バーチャルカードのカード番号と異なることを特徴とする提供装置。
【手続補正書】
【提出日】平成29年12月20日(2017.12.20)
【手続補正１】
【補正対象書類名】特許請求の範囲
【補正対象項目名】全文
【補正方法】変更
【補正の内容】
【特許請求の範囲】
【請求項１】
ペイメントカードの提供方法であって、
利用者の端末から、前記利用者の登録情報を受信するステップと、
前記登録情報の受信に応じて、前記利用者に関連づけられたカード情報（以下「第１のカード情報」という。）をバーチャルカードのカード情報として記憶するステップと、
前記利用者の端末から、リアルカードの付与要求を受信するステップと、
リアルカードのためのカード情報としてあらかじめ記憶された、カード番号及び有効期限（利用者により変更可能なものを除く。）を含む複数のカード情報のうちのいずれかのカード情報（以下「第２のカード情報」という。）を前記利用者に関連づけるステップと、
前記利用者の端末から、前記利用者に送付されたリアルカードのコードを受信するステップと、
前記コードを前記第２のカード情報に含まれるコードと照合して、一致する場合に前記リアルカードを有効化するステップと
を含み、
前記第２のカード情報に含まれるカード番号は、前記第１のカード情報に含まれるカード番号と異なることを特徴とする提供方法。
【請求項２】
前記第２のカード情報は、各カードに一意のカード識別子を含むことを特徴とする請求項１に記載の提供方法。
【請求項３】
前記第２のカード情報に含まれるカード番号は、前記第１のカード情報に含まれるカード番号と区別するためのデジットを有することを特徴とする請求項１又は２に記載の提供方法。
【請求項４】
前記有効化の前の前記リアルカードは使用不可であることを特徴とする請求項１乃至３のいずれかに記載の提供方法。
【請求項５】
リアルカードのためのカード情報としてあらかじめ記憶された前記複数のカード情報をそれぞれ有する複数のリアルカードが前記付与要求の前にあらかじめ製造されていることを特徴とする請求項１乃至４のいずれかに記載の提供方法。
【請求項６】
前記有効化の後、前記利用者のバーチャルカードを無効化するステップをさらに含むことを特徴とする請求項１乃至５のいずれかに記載の提供方法。
【請求項７】
コンピュータに、ペイメントカードの提供方法を実行させるためのプログラムであって、前記提供方法は、
利用者の端末から、前記利用者の登録情報を受信するステップと、
前記登録情報の受信に応じて、前記利用者に関連づけられたカード情報（以下「第１のカード情報」という。）をバーチャルカードのカード情報として記憶するステップと、
前記利用者の端末から、リアルカードの付与要求を受信するステップと、
リアルカードのためのカード情報としてあらかじめ記憶された、カード番号及び有効期限（利用者により変更可能なものを除く。）を含む複数のカード情報のうちのいずれかのカード情報（以下「第２のカード情報」という。）を前記利用者に関連づけるステップと、
前記利用者の端末から、前記利用者に送付されたリアルカードのコードを受信するステップと、
前記コードを前記第２のカード情報に含まれるコードと照合して、一致する場合に前記リアルカードを有効化するステップと
を含み、
前記第２のカード情報に含まれるカード番号は、前記第１のカード情報に含まれるカード番号と異なることを特徴とするプログラム。
【請求項８】
ペイメントカードの提供装置であって、
利用者の端末から、前記利用者の登録情報を受信して、前記登録情報の受信に応じて、前記利用者に関連づけられたカード情報（以下「第１のカード情報」という。）をバーチャルカードのカード情報として記憶し、
前記利用者の端末から、リアルカードの付与要求を受信して、リアルカードのためのカード情報としてあらかじめ記憶された、カード番号及び有効期限（利用者により変更可能なものを除く。）を含む複数のカード情報のうちのいずれかのカード情報（以下「第２のカード情報」という。）を前記利用者に関連づけ、
前記利用者の端末から、前記利用者に送付されたリアルカードのコードを受信して、前記コードを前記第２のカード情報に含まれるコードと照合し、一致する場合に前記リアルカードを有効化し、
前記記第２のカード情報に含まれるカード番号は、前記第１のカード情報に含まれるカード番号と異なることを特徴とする提供装置。
【手続補正書】
【提出日】平成30年5月22日(2018.5.22)
【手続補正１】
【補正対象書類名】特許請求の範囲
【補正対象項目名】全文
【補正方法】変更
【補正の内容】
【特許請求の範囲】
【請求項１】
ペイメントカードの提供方法であって、
利用者の端末から、前記利用者の登録情報を受信するステップと、
前記登録情報の受信に応じて、前記利用者に関連づけられたカード情報（以下「第１のカード情報」という。）をバーチャルカードのカード情報として記憶するステップと、
前記利用者の端末から、リアルカードの付与要求を受信するステップと、
リアルカードのためのカード情報としてあらかじめ記憶された、カード番号及び有効期限（利用者により変更可能なものを除く。）を含む複数のカード情報（前記利用者に既に関連づけられたものを除く。）のうちのいずれかのカード情報（以下「第２のカード情報」という。）を前記利用者に関連づけるステップと、
前記利用者の端末から、前記利用者に送付されたリアルカードのコードを受信するステップと、
前記コードを前記第２のカード情報に含まれるコードと照合して、一致する場合に前記リアルカードを有効化するステップと
を含み、
前記第２のカード情報に含まれるカード番号は、前記第１のカード情報に含まれるカード番号と異なることを特徴とする提供方法。
【請求項２】
前記第２のカード情報は、各カードに一意のカード識別子を含むことを特徴とする請求項１に記載の提供方法。
【請求項３】
前記第２のカード情報に含まれるカード番号は、前記第１のカード情報に含まれるカード番号と区別するためのデジットを有することを特徴とする請求項１又は２に記載の提供方法。
【請求項４】
前記有効化の前の前記リアルカードは使用不可であることを特徴とする請求項１乃至３のいずれかに記載の提供方法。
【請求項５】
リアルカードのためのカード情報としてあらかじめ記憶された前記複数のカード情報をそれぞれ有する複数のリアルカードが前記付与要求の前にあらかじめ製造されていることを特徴とする請求項１乃至４のいずれかに記載の提供方法。
【請求項６】
前記有効化の後、前記利用者のバーチャルカードを無効化するステップをさらに含むことを特徴とする請求項１乃至５のいずれかに記載の提供方法。
【請求項７】
コンピュータに、ペイメントカードの提供方法を実行させるためのプログラムであって、前記提供方法は、
利用者の端末から、前記利用者の登録情報を受信するステップと、
前記登録情報の受信に応じて、前記利用者に関連づけられたカード情報（以下「第１のカード情報」という。）をバーチャルカードのカード情報として記憶するステップと、
前記利用者の端末から、リアルカードの付与要求を受信するステップと、
リアルカードのためのカード情報としてあらかじめ記憶された、カード番号及び有効期限（利用者により変更可能なものを除く。）を含む複数のカード情報（前記利用者に既に関連づけられたものを除く。）のうちのいずれかのカード情報（以下「第２のカード情報」という。）を前記利用者に関連づけるステップと、
前記利用者の端末から、前記利用者に送付されたリアルカードのコードを受信するステップと、
前記コードを前記第２のカード情報に含まれるコードと照合して、一致する場合に前記リアルカードを有効化するステップと
を含み、
前記第２のカード情報に含まれるカード番号は、前記第１のカード情報に含まれるカード番号と異なることを特徴とするプログラム。
【請求項８】
ペイメントカードの提供装置であって、
利用者の端末から、前記利用者の登録情報を受信して、前記登録情報の受信に応じて、前記利用者に関連づけられたカード情報（以下「第１のカード情報」という。）をバーチャルカードのカード情報として記憶し、
前記利用者の端末から、リアルカードの付与要求を受信して、リアルカードのためのカード情報としてあらかじめ記憶された、カード番号及び有効期限（利用者により変更可能なものを除く。）を含む複数のカード情報（前記利用者に既に関連づけられたものを除く。）のうちのいずれかのカード情報（以下「第２のカード情報」という。）を前記利用者に関連づけ、
前記利用者の端末から、前記利用者に送付されたリアルカードのコードを受信して、前記コードを前記第２のカード情報に含まれるコードと照合し、一致する場合に前記リアルカードを有効化し、
前記記第２のカード情報に含まれるカード番号は、前記第１のカード情報に含まれるカード番号と異なることを特徴とする提供装置。